(57)【要約】【課題】  パケット損失の無い高信頼の故障復旧を実現するための従来のパケット伝送システムは、装置構成が複雑で回線収容効率が低下するという問題があった。【解決手段】  本発明に係るＳＯＮＥＴ／ＳＤＨやＯＴＮを用いるパケット伝送システムは、送信機能部においては、ユーザネットワークから受信したパケットをＧＦＰフレームにマッピングするＧＦＰマッピング部やＶＣフレームにマッピングするＶＣマッピング部またはＯＴＮマッピング部をコピー部の前に配置し、受信機能部においては、広域ネットワークの複数の経路から受信するフレームの中から早着のフレームを選択する選択部の後にＶＣフレームにデマッピングするＶＣデマッピング部やＧＦＰフレームにデマッピングするＧＦＰデマッピング部またはＯＴＮデマッピング部を配置するようにした。【選択図】    図２
2010278844.tif 000002
【特許請求の範囲】
【請求項１】
ユーザネットワークと、広域ネットワークと、これらのネットワークを相互に接続するパケット伝送装置とで構成されるＳＯＮＥＴ／ＳＤＨ（ＳＯＮＥＴ（Ｓｙｎｃｈｒｏｎｏｕｓ  Ｏｐｔｉｃａｌ  ＮＥＴｗｏｒｋ：同期光伝送網）／ＳＤＨ（Ｓｙｎｃｈｒｏｎｏｕｓ  Ｄｉｇｉｔａｌ  Ｈｉｅｒａｒｃｈｙ：同期デジタル・ハイアラーキ））を用いるパケット伝送システムにおいて、
ユーザネットワークから受信したパケットを広域ネットワークに送信する前記パケット伝送装置の送信側に、
ユーザネットワークからユーザパケットを受信するユーザＮＷ受信部と、
前記ユーザＮＷ受信部で受信したユーザパケットをＧＦＰフレームにマッピングするＧＦＰマッピング部と、
前記ＧＦＰマッピング部が出力するＧＦＰフレームと同一情報を持つ複数のＧＦＰフレームに複製するコピー部と、
前記コピー部が複製した複数のＧＦＰフレームにそれぞれ異なる識別子を付与する識別子付与部と、
前記識別子付与部が識別子を付与した複数のＧＦＰフレームをＶＣフレームにそれぞれマッピングするＶＣマッピング部と、
前記ＶＣマッピング部が出力する複数のＶＣフレームを多重化する多重部と、
前記パケット多重部が出力する複数のＶＣフレームをそれぞれ異なる伝送路を介して広域ネットワークに送信する複数の広域ＮＷ送信部と
を設け、
広域ネットワークから受信したパケットをユーザネットワークに送信する前記パケット伝送装置の受信側に、
広域ネットワークから異なる複数の伝送路を介してそれぞれＶＣフレームを受信する複数の広域ＮＷ受信部と、
前記広域ＮＷ受信部で受信した複数のＶＣフレームを分離する分離部と、
前記パケット分離部が分離した複数のＶＣフレームをＧＦＰフレームにデマッピングするＶＣデマッピング部と、
前記ＶＣデマッピング部がデマッピングしたＧＦＰフレームを一時的に保持する記憶部と、
前記記憶部が保持する複数のＧＦＰフレームの中から各ＧＦＰフレームに付与されている識別子に応じて１つのＧＦＰフレームを選択する選択部と、
前記選択部が選択するＧＦＰフレーム数を数えるカウンタ部と、
前記選択部が選択したＧＦＰフレームをユーザパケットにデマッピングするＧＦＰデマッピング部と、
前記ＧＦＰデマッピング部が出力するユーザパケットをユーザネットワークに送信するユーザＮＷ送信部と
を設けた
ことを特徴とするパケット伝送システム。
【請求項２】
ユーザネットワークと、広域ネットワークと、これらのネットワークを相互に接続するパケット伝送装置とで構成されるＳＯＮＥＴ／ＳＤＨ（ＳＯＮＥＴ（Ｓｙｎｃｈｒｏｎｏｕｓ  Ｏｐｔｉｃａｌ  ＮＥＴｗｏｒｋ：同期光伝送網）／ＳＤＨ（Ｓｙｎｃｈｒｏｎｏｕｓ  Ｄｉｇｉｔａｌ  Ｈｉｅｒａｒｃｈｙ：同期デジタル・ハイアラーキ））を用いるパケット伝送システムにおいて、
ユーザネットワークから受信したパケットを広域ネットワークに送信する前記パケット伝送装置の送信側に、
ユーザネットワークからユーザパケットを受信するユーザＮＷ受信部と、
前記ユーザＮＷ受信部で受信したユーザパケットをＧＦＰフレームにマッピングするＧＦＰマッピング部と、
前記ＧＦＰマッピング部が出力するＧＦＰフレームをＶＣフレームにマッピングするＶＣマッピング部と、
前記ＶＣマッピング部が出力するＶＣフレームと同一情報を持つ複数のＶＣフレームに複製するコピー部と、
前記コピー部が複製した複数のＶＣフレームにそれぞれ異なる識別子を付与する識別子付与部と、
前記識別子付与部が識別子を付与した複数のＶＣフレームを多重化する多重部と、
前記パケット多重部が出力する複数のＶＣフレームをそれぞれ異なる伝送路を介して広域ネットワークに送信する複数の広域ＮＷ送信部と
を設け、
広域ネットワークから受信したパケットをユーザネットワークに送信する前記パケット伝送装置の受信側に、
広域ネットワークから異なる複数の伝送路を介してそれぞれＶＣフレームを受信する複数の広域ＮＷ受信部と、
前記広域ＮＷ受信部で受信した複数のＶＣフレームを分離する分離部と、
前記分離部が分離した複数のＶＣフレームを一時的に保持する記憶部と、
前記記憶部が保持する複数のＶＣフレームの中から各ＶＣフレームに付与されている識別子に応じて１つのＶＣフレームを選択する選択部と、
前記選択部が選択するＶＣフレーム数を数えるカウンタ部と、
前記選択部が選択したＶＣフレームをＧＦＰフレームにデマッピングするＶＣデマッピング部と、
前記ＶＣデマッピング部がデマッピングしたＧＦＰフレームをユーザパケットにデマッピングするＧＦＰデマッピング部と、
前記ＧＦＰデマッピング部が出力するユーザパケットをユーザネットワークに送信するユーザＮＷ送信部と
を設けた
ことを特徴とするパケット伝送システム。
【請求項３】
請求項２に記載のパケット伝送システムにおいて、
前記識別子付与部は、順序識別子および経路識別子をＶＣフレームのＨ４バイトマルチフレームに挿入する
ことを特徴とするパケット伝送システム。
【請求項４】
ユーザネットワークと、広域ネットワークと、これらのネットワークを相互に接続するパケット伝送装置とで構成されるＯＴＮ（Ｏｐｔｉｃａｌ  Ｔｒａｎｓｐｏｒｔ  Ｎｅｔｗｏｒｋ：光伝送網）を用いるパケット伝送システムにおいて、
ユーザネットワークから受信したパケットを広域ネットワークに送信する前記パケット伝送装置の送信側に、
ユーザネットワークからユーザパケットを受信するユーザＮＷ受信部と、
前記ユーザＮＷ受信部で受信したユーザパケットをＯＴＮフレームにマッピングするＯＴＮマッピング部と、
前記ＯＴＮマッピング部が出力するフレームと同一情報を持つ複数のフレームに複製するコピー部と、
前記コピー部が複製した複数のフレームにそれぞれ異なる識別子を付与する識別子付与部と、
前記識別子付与部が識別子を付与した複数のパケットをそれぞれ異なる伝送路を介して広域ネットワークに送信する複数の広域ＮＷ送信部と
を設け、
広域ネットワークから受信したパケットをユーザネットワークに送信する前記パケット伝送装置の受信側に、
広域ネットワークから異なる複数の伝送路を介してそれぞれＯＴＮフレームを受信する複数の広域ＮＷ受信部と、
前記広域ＮＷ受信部で受信した複数のＯＴＮフレームを一時的に保持する記憶部と、
前記記憶部が保持する複数のＯＴＮフレームの中から各ＯＴＮフレームに付与されている識別子に応じて１つのＯＴＮフレームを選択する選択部と、
前記選択部が選択するＯＴＮフレーム数を数えるカウンタ部と、
前記選択部が選択したＯＴＮフレームをユーザパケットにデマッピングするＯＴＮデマッピング部と、
前記ＯＴＮデマッピング部が出力するユーザパケットをユーザネットワークに送信するユーザＮＷ送信部と
を設けた
ことを特徴とするパケット伝送システム。
【請求項５】
ユーザネットワークと、広域ネットワークと、これらのネットワークを相互に接続するパケット伝送装置とで構成されるＯＴＮ（Ｏｐｔｉｃａｌ  Ｔｒａｎｓｐｏｒｔ  Ｎｅｔｗｏｒｋ：光伝送網）を用いるパケット伝送システムにおいて、
ユーザネットワークから受信したパケットを広域ネットワークに送信する前記パケット伝送装置の送信側に、
ユーザネットワークからユーザパケットを受信するユーザＮＷ受信部と、
前記ユーザＮＷ受信部で受信したユーザパケットをＧＦＰフレームにマッピングするＧＦＰマッピング部と、
前記ＧＦＰマッピング部が出力するＧＦＰフレームと同一情報を持つ複数のＧＦＰフレームに複製するコピー部と、
前記コピー部が複製した複数のＧＦＰフレームにそれぞれ異なる識別子を付与する識別子付与部と、
前記識別子付与部が出力する複数のフレームをそれぞれＯＴＮフレームにマッピングするＯＴＮマッピング部と、
前記ＯＴＮマッピング部がマッピングした複数のＯＴＮフレームをそれぞれ異なる伝送路を介して広域ネットワークに送信する複数の広域ＮＷ送信部と
を設け、
広域ネットワークから受信したフレームをユーザネットワークに送信する前記パケット伝送装置の受信側に、
広域ネットワークから異なる複数の伝送路を介してそれぞれＯＴＮフレームを受信する複数の広域ＮＷ受信部と、
前記広域ＮＷ受信部で受信した複数のＯＴＮフレームをＧＦＰフレームにデマッピングするＯＴＮデマッピング部と、
前記ＯＴＮデマッピング部が出力するＧＦＰフレームを一時的に保持する記憶部と、
前記記憶部が保持する複数のＧＦＰフレームの中から各ＧＦＰフレームに付与されている識別子に応じて１つのＧＦＰフレームを選択する選択部と、
前記選択部が選択するＧＦＰフレーム数を数えるカウンタ部と、
前記選択部が選択したＧＦＰフレームをユーザパケットにデマッピングするＧＦＰデマッピング部と、
前記ＧＦＰデマッピング部が出力するユーザパケットをユーザネットワークに送信するユーザＮＷ送信部と
を設けた
ことを特徴とするパケット伝送システム。
【請求項６】
請求項１または５に記載のパケット伝送システムにおいて、
前記識別子付与部は、順序識別子および経路識別子をＧＦＰフレームのＧＦＰヘッダとＧＦＰペイロードの間に挿入する
ことを特徴とするパケット伝送システム。
【請求項７】
請求項１または５に記載のパケット伝送システムにおいて、
前記識別子付与部は、順序識別子および経路識別子をＧＦＰフレームのＥｘｔｅｎｓｉｏｎ  ｈｅａｄｅｒ部分に記述する
ことを特徴とするパケット伝送システム。
【請求項８】
ユーザネットワークから受信したパケットを広域ネットワークに送信する送信機能部と、広域ネットワークから受信したパケットをユーザネットワークに送信する受信機能部とで構成されるＳＯＮＥＴ／ＳＤＨ（ＳＯＮＥＴ（Ｓｙｎｃｈｒｏｎｏｕｓ  Ｏｐｔｉｃａｌ  ＮＥＴｗｏｒｋ：同期光伝送網）／ＳＤＨ（Ｓｙｎｃｈｒｏｎｏｕｓ  Ｄｉｇｉｔａｌ  Ｈｉｅｒａｒｃｈｙ：同期デジタル・ハイアラーキ））を用いるパケット伝送装置において、
前記送信機能部は、
ユーザネットワークからユーザパケットを受信するユーザＮＷ受信部と、
前記ユーザＮＷ受信部で受信したユーザパケットをＧＦＰフレームにマッピングするＧＦＰマッピング部と、
前記ＧＦＰマッピング部が出力するＧＦＰフレームと同一情報を持つ複数のＧＦＰフレームに複製するコピー部と、
前記コピー部が複製した複数のＧＦＰフレームにそれぞれ異なる識別子を付与する識別子付与部と、
前記識別子付与部が識別子を付与した複数のＧＦＰフレームをＶＣフレームにそれぞれマッピングするＶＣマッピング部と、
前記ＶＣマッピング部が出力する複数のＶＣフレームを多重化する多重部と、
前記パケット多重部が出力する複数のＶＣフレームをそれぞれ異なる伝送路を介して広域ネットワークに送信する複数の広域ＮＷ送信部と
で構成し、
前記受信機能部は、
広域ネットワークから異なる複数の伝送路を介してそれぞれＶＣフレームを受信する複数の広域ＮＷ受信部と、
前記広域ＮＷ受信部で受信した複数のＶＣフレームを分離する分離部と、
前記パケット分離部が分離した複数のＶＣフレームをＧＦＰフレームにデマッピングするＶＣデマッピング部と、
前記ＶＣデマッピング部がデマッピングしたＧＦＰフレームを一時的に保持する記憶部と、
前記記憶部が保持する複数のＧＦＰフレームの中から各ＧＦＰフレームに付与されている識別子に応じて１つのＧＦＰフレームを選択する選択部と、
前記選択部が選択するＧＦＰフレーム数を数えるカウンタ部と、
前記選択部が選択したＧＦＰフレームをユーザパケットにデマッピングするＧＦＰデマッピング部と、
前記ＧＦＰデマッピング部が出力するユーザパケットをユーザネットワークに送信するユーザＮＷ送信部と
で構成される
ことを特徴とするパケット伝送装置。
【請求項９】
ユーザネットワークから受信したパケットを広域ネットワークに送信する送信機能部と、広域ネットワークから受信したパケットをユーザネットワークに送信する受信機能部とで構成されるＳＯＮＥＴ／ＳＤＨ（ＳＯＮＥＴ（Ｓｙｎｃｈｒｏｎｏｕｓ  Ｏｐｔｉｃａｌ  ＮＥＴｗｏｒｋ：同期光伝送網）／ＳＤＨ（Ｓｙｎｃｈｒｏｎｏｕｓ  Ｄｉｇｉｔａｌ  Ｈｉｅｒａｒｃｈｙ：同期デジタル・ハイアラーキ））を用いるパケット伝送装置において、
前記送信機能部は、
ユーザネットワークからユーザパケットを受信するユーザＮＷ受信部と、
前記ユーザＮＷ受信部で受信したユーザパケットをＧＦＰフレームにマッピングするＧＦＰマッピング部と、
前記ＧＦＰマッピング部が出力するＧＦＰフレームをＶＣフレームにマッピングするＶＣマッピング部と、
前記ＶＣマッピング部が出力するＶＣフレームと同一情報を持つ複数のＶＣフレームに複製するコピー部と、
前記コピー部が複製した複数のＶＣフレームにそれぞれ異なる識別子を付与する識別子付与部と、
前記識別子付与部が識別子を付与した複数のＶＣフレームを多重化する多重部と、
前記パケット多重部が出力する複数のＶＣフレームをそれぞれ異なる伝送路を介して広域ネットワークに送信する複数の広域ＮＷ送信部と
で構成し、
前記受信機能部は、
広域ネットワークから異なる複数の伝送路を介してそれぞれＶＣフレームを受信する複数の広域ＮＷ受信部と、
前記広域ＮＷ受信部で受信した複数のＶＣフレームを分離する分離部と、
前記分離部が分離した複数のＶＣフレームを一時的に保持する記憶部と、
前記記憶部が保持する複数のＶＣフレームの中から各ＶＣフレームに付与されている識別子に応じて１つのＶＣフレームを選択する選択部と、
前記選択部が選択するＶＣフレーム数を数えるカウンタ部と、
前記選択部が選択したＶＣフレームをＧＦＰフレームにデマッピングするＶＣデマッピング部と、
前記ＶＣデマッピング部がデマッピングしたＧＦＰフレームをユーザパケットにデマッピングするＧＦＰデマッピング部と、
前記ＧＦＰデマッピング部が出力するユーザパケットをユーザネットワークに送信するユーザＮＷ送信部と
で構成される
ことを特徴とするパケット伝送装置。
【請求項１０】
請求項９に記載のパケット伝送装置において、
前記識別子付与部は、順序識別子および経路識別子をＶＣフレームのＨ４バイトマルチフレームに挿入する
ことを特徴とするパケット伝送装置。
【請求項１１】
ユーザネットワークから受信したパケットを広域ネットワークに送信する送信機能部と、広域ネットワークから受信したパケットをユーザネットワークに送信する受信機能部とで構成されるＯＴＮ（Ｏｐｔｉｃａｌ  Ｔｒａｎｓｐｏｒｔ  Ｎｅｔｗｏｒｋ：光伝送網）を用いるパケット伝送装置において、
前記送信機能部は、
ユーザネットワークからユーザパケットを受信するユーザＮＷ受信部と、
前記ユーザＮＷ受信部で受信したユーザパケットをＯＴＮフレームにマッピングするＯＴＮマッピング部と、
前記ＯＴＮマッピング部が出力するフレームと同一情報を持つ複数のフレームに複製するコピー部と、
前記コピー部が複製した複数のフレームにそれぞれ異なる識別子を付与する識別子付与部と、
前記識別子付与部が識別子を付与した複数のパケットをそれぞれ異なる伝送路を介して広域ネットワークに送信する複数の広域ＮＷ送信部と
で構成し、
前記受信機能部は、
広域ネットワークから異なる複数の伝送路を介してそれぞれＯＴＮフレームを受信する複数の広域ＮＷ受信部と、
前記広域ＮＷ受信部で受信した複数のＯＴＮフレームを一時的に保持する記憶部と、
前記記憶部が保持する複数のＯＴＮフレームの中から各ＯＴＮフレームに付与されている識別子に応じて１つのＯＴＮフレームを選択する選択部と、
前記選択部が選択するＯＴＮフレーム数を数えるカウンタ部と、
前記選択部が選択したＯＴＮフレームをユーザパケットにデマッピングするＯＴＮデマッピング部と、
前記ＯＴＮデマッピング部が出力するユーザパケットをユーザネットワークに送信するユーザＮＷ送信部と
で構成される
ことを特徴とするパケット伝送装置。
【請求項１２】
ユーザネットワークから受信したパケットを広域ネットワークに送信する送信機能部と、広域ネットワークから受信したパケットをユーザネットワークに送信する受信機能部とで構成されるＯＴＮ（Ｏｐｔｉｃａｌ  Ｔｒａｎｓｐｏｒｔ  Ｎｅｔｗｏｒｋ：光伝送網）を用いるパケット伝送装置において、
前記送信機能部は、
ユーザネットワークからユーザパケットを受信するユーザＮＷ受信部と、
前記ユーザＮＷ受信部で受信したユーザパケットをＧＦＰフレームにマッピングするＧＦＰマッピング部と、
前記ＧＦＰマッピング部が出力するＧＦＰフレームと同一情報を持つ複数のＧＦＰフレームに複製するコピー部と、
前記コピー部が複製した複数のＧＦＰフレームにそれぞれ異なる識別子を付与する識別子付与部と、
前記識別子付与部が出力する複数のフレームをそれぞれＯＴＮフレームにマッピングするＯＴＮマッピング部と、
前記ＯＴＮマッピング部がマッピングした複数のＯＴＮフレームをそれぞれ異なる伝送路を介して広域ネットワークに送信する複数の広域ＮＷ送信部と
で構成し、
前記受信機能部は、
広域ネットワークから異なる複数の伝送路を介してそれぞれＯＴＮフレームを受信する複数の広域ＮＷ受信部と、
前記広域ＮＷ受信部で受信した複数のＯＴＮフレームをＧＦＰフレームにデマッピングするＯＴＮデマッピング部と、
前記ＯＴＮデマッピング部が出力するＧＦＰフレームを一時的に保持する記憶部と、
前記記憶部が保持する複数のＧＦＰフレームの中から各ＧＦＰフレームに付与されている識別子に応じて１つのＧＦＰフレームを選択する選択部と、
前記選択部が選択するＧＦＰフレーム数を数えるカウンタ部と、
前記選択部が選択したＧＦＰフレームをユーザパケットにデマッピングするＧＦＰデマッピング部と、
前記ＧＦＰデマッピング部が出力するユーザパケットをユーザネットワークに送信するユーザＮＷ送信部と
で構成される
ことを特徴とするパケット伝送装置。
【請求項１３】
請求項８または１２に記載のパケット伝送装置において、
前記識別子付与部は、順序識別子および経路識別子をＧＦＰフレームのＧＦＰヘッダとＧＦＰペイロードの間に挿入する
ことを特徴とするパケット伝送装置。
【請求項１４】
請求項８または１２に記載のパケット伝送装置において、
前記識別子付与部は、順序識別子および経路識別子をＧＦＰフレームのＥｘｔｅｎｓｉｏｎ  ｈｅａｄｅｒ部分に記述する
ことを特徴とするパケット伝送装置。
【請求項１５】
ユーザネットワークと、広域ネットワークと、これらのネットワークを相互に接続するパケット伝送装置とで構成されるＳＯＮＥＴ／ＳＤＨ（ＳＯＮＥＴ（Ｓｙｎｃｈｒｏｎｏｕｓ  Ｏｐｔｉｃａｌ  ＮＥＴｗｏｒｋ：同期光伝送網）／ＳＤＨ（Ｓｙｎｃｈｒｏｎｏｕｓ  Ｄｉｇｉｔａｌ  Ｈｉｅｒａｒｃｈｙ：同期デジタル・ハイアラーキ））を用いるパケット伝送方法において、
ユーザネットワークから受信したパケットを広域ネットワークに送信する前記パケット伝送装置の送信側に、
ユーザネットワークからユーザパケットを受信するユーザＮＷ受信手順と、
前記ユーザＮＷ受信手順で受信したユーザパケットをＧＦＰフレームにマッピングするＧＦＰマッピング手順と、
前記ＧＦＰマッピング手順が出力するＧＦＰフレームと同一情報を持つ複数のＧＦＰフレームに複製するコピー手順と、
前記コピー手順が複製した複数のＧＦＰフレームにそれぞれ異なる識別子を付与する識別子付与手順と、
前記識別子付与手順が識別子を付与した複数のＧＦＰフレームをＶＣフレームにそれぞれマッピングするＶＣマッピング手順と、
前記ＶＣマッピング手順が出力する複数のＶＣフレームを多重化する多重手順と、
前記パケット多重手順が出力する複数のＶＣフレームをそれぞれ異なる伝送路を介して広域ネットワークに送信する複数の広域ＮＷ送信手順と
を設け、
広域ネットワークから受信したパケットをユーザネットワークに送信する前記パケット伝送装置の受信側に、
広域ネットワークから異なる複数の伝送路を介してそれぞれＶＣフレームを受信する複数の広域ＮＷ受信手順と、
前記広域ＮＷ受信手順で受信した複数のＶＣフレームを分離する分離手順と、
前記パケット分離手順が分離した複数のＶＣフレームをＧＦＰフレームにデマッピングするＶＣデマッピング手順と、
前記ＶＣデマッピング手順がデマッピングしたＧＦＰフレームを一時的に保持する記憶手順と、
前記記憶手順が保持する複数のＧＦＰフレームの中から各ＧＦＰフレームに付与されている識別子に応じて１つのＧＦＰフレームを選択する選択手順と、
前記選択手順が選択するＧＦＰフレーム数を数えるカウンタ手順と、
前記選択手順が選択したＧＦＰフレームをユーザパケットにデマッピングするＧＦＰデマッピング手順と、
前記ＧＦＰデマッピング手順が出力するユーザパケットをユーザネットワークに送信するユーザＮＷ送信手順と
を設けた
ことを特徴とするパケット伝送方法。
【請求項１６】
ユーザネットワークと、広域ネットワークと、これらのネットワークを相互に接続するパケット伝送装置とで構成されるＳＯＮＥＴ／ＳＤＨ（ＳＯＮＥＴ（Ｓｙｎｃｈｒｏｎｏｕｓ  Ｏｐｔｉｃａｌ  ＮＥＴｗｏｒｋ：同期光伝送網）／ＳＤＨ（Ｓｙｎｃｈｒｏｎｏｕｓ  Ｄｉｇｉｔａｌ  Ｈｉｅｒａｒｃｈｙ：同期デジタル・ハイアラーキ））を用いるパケット伝送方法において、
ユーザネットワークから受信したパケットを広域ネットワークに送信する前記パケット伝送装置の送信側に、
ユーザネットワークからユーザパケットを受信するユーザＮＷ受信手順と、
前記ユーザＮＷ受信手順で受信したユーザパケットをＧＦＰフレームにマッピングするＧＦＰマッピング手順と、
前記ＧＦＰマッピング手順が出力するＧＦＰフレームをＶＣフレームにマッピングするＶＣマッピング手順と、
前記ＶＣマッピング手順が出力するＶＣフレームと同一情報を持つ複数のＶＣフレームに複製するコピー手順と、
前記コピー手順が複製した複数のＶＣフレームにそれぞれ異なる識別子を付与する識別子付与手順と、
前記識別子付与手順が識別子を付与した複数のＶＣフレームを多重化する多重手順と、
前記パケット多重手順が出力する複数のＶＣフレームをそれぞれ異なる伝送路を介して広域ネットワークに送信する複数の広域ＮＷ送信手順と
を設け、
広域ネットワークから受信したパケットをユーザネットワークに送信する前記パケット伝送装置の受信側に、
広域ネットワークから異なる複数の伝送路を介してそれぞれＶＣフレームを受信する複数の広域ＮＷ受信手順と、
前記広域ＮＷ受信手順で受信した複数のＶＣフレームを分離する分離手順と、
前記分離手順が分離した複数のＶＣフレームを一時的に保持する記憶手順と、
前記記憶手順が保持する複数のＶＣフレームの中から各ＶＣフレームに付与されている識別子に応じて１つのＶＣフレームを選択する選択手順と、
前記選択手順が選択するＶＣフレーム数を数えるカウンタ手順と、
前記選択手順が選択したＶＣフレームをＧＦＰフレームにデマッピングするＶＣデマッピング手順と、
前記ＶＣデマッピング手順がデマッピングしたＧＦＰフレームをユーザパケットにデマッピングするＧＦＰデマッピング手順と、
前記ＧＦＰデマッピング手順が出力するユーザパケットをユーザネットワークに送信するユーザＮＷ送信手順と
を設けた
ことを特徴とするパケット伝送方法。
【請求項１７】
請求項１６に記載のパケット伝送方法において、
前記識別子付与手順は、順序識別子および経路識別子をＶＣフレームのＨ４バイトマルチフレームに挿入する
ことを特徴とするパケット伝送方法。
【請求項１８】
ユーザネットワークと、広域ネットワークと、これらのネットワークを相互に接続するパケット伝送装置とで構成されるＯＴＮ（Ｏｐｔｉｃａｌ  Ｔｒａｎｓｐｏｒｔ  Ｎｅｔｗｏｒｋ：光伝送網）を用いるパケット伝送方法において、
ユーザネットワークから受信したパケットを広域ネットワークに送信する前記パケット伝送装置の送信側に、
ユーザネットワークからユーザパケットを受信するユーザＮＷ受信手順と、
前記ユーザＮＷ受信手順で受信したユーザパケットをＯＴＮフレームにマッピングするＯＴＮマッピング手順と、
前記ＯＴＮマッピング手順が出力するフレームと同一情報を持つ複数のフレームに複製するコピー手順と、
前記コピー手順が複製した複数のフレームにそれぞれ異なる識別子を付与する識別子付与手順と、
前記識別子付与手順が識別子を付与した複数のパケットをそれぞれ異なる伝送路を介して広域ネットワークに送信する複数の広域ＮＷ送信手順と
を設け、
広域ネットワークから受信したパケットをユーザネットワークに送信する前記パケット伝送装置の受信側に、
広域ネットワークから異なる複数の伝送路を介してそれぞれＯＴＮフレームを受信する複数の広域ＮＷ受信手順と、
前記広域ＮＷ受信手順で受信した複数のＯＴＮフレームを一時的に保持する記憶手順と、
前記記憶手順が保持する複数のＯＴＮフレームの中から各ＯＴＮフレームに付与されている識別子に応じて１つのＯＴＮフレームを選択する選択手順と、
前記選択手順が選択するＯＴＮフレーム数を数えるカウンタ手順と、
前記選択手順が選択したＯＴＮフレームをユーザパケットにデマッピングするＯＴＮデマッピング手順と、
前記ＯＴＮデマッピング手順が出力するユーザパケットをユーザネットワークに送信するユーザＮＷ送信手順と
を設けた
ことを特徴とするパケット伝送方法。
【請求項１９】
ユーザネットワークと、広域ネットワークと、これらのネットワークを相互に接続するパケット伝送装置とで構成されるＯＴＮ（Ｏｐｔｉｃａｌ  Ｔｒａｎｓｐｏｒｔ  Ｎｅｔｗｏｒｋ：光伝送網）を用いるパケット伝送方法において、
ユーザネットワークから受信したパケットを広域ネットワークに送信する前記パケット伝送装置の送信側に、
ユーザネットワークからユーザパケットを受信するユーザＮＷ受信手順と、
前記ユーザＮＷ受信手順で受信したユーザパケットをＧＦＰフレームにマッピングするＧＦＰマッピング手順と、
前記ＧＦＰマッピング手順が出力するＧＦＰフレームと同一情報を持つ複数のＧＦＰフレームに複製するコピー手順と、
前記コピー手順が複製した複数のＧＦＰフレームにそれぞれ異なる識別子を付与する識別子付与手順と、
前記識別子付与手順が出力する複数のフレームをそれぞれＯＴＮフレームにマッピングするＯＴＮマッピング手順と、
前記ＯＴＮマッピング手順がマッピングした複数のＯＴＮフレームをそれぞれ異なる伝送路を介して広域ネットワークに送信する複数の広域ＮＷ送信手順と
を設け、
広域ネットワークから受信したフレームをユーザネットワークに送信する前記パケット伝送装置の受信側に、
広域ネットワークから異なる複数の伝送路を介してそれぞれＯＴＮフレームを受信する複数の広域ＮＷ受信手順と、
前記広域ＮＷ受信手順で受信した複数のＯＴＮフレームをＧＦＰフレームにデマッピングするＯＴＮデマッピング手順と、
前記ＯＴＮデマッピング手順が出力するＧＦＰフレームを一時的に保持する記憶手順と、
前記記憶手順が保持する複数のＧＦＰフレームの中から各ＧＦＰフレームに付与されている識別子に応じて１つのＧＦＰフレームを選択する選択手順と、
前記選択手順が選択するＧＦＰフレーム数を数えるカウンタ手順と、
前記選択手順が選択したＧＦＰフレームをユーザパケットにデマッピングするＧＦＰデマッピング手順と、
前記ＧＦＰデマッピング手順が出力するユーザパケットをユーザネットワークに送信するユーザＮＷ送信手順と
を設けた
ことを特徴とするパケット伝送方法。
【請求項２０】
請求項１５または１９に記載のパケット伝送方法において、
前記識別子付与手順は、順序識別子および経路識別子をＧＦＰフレームのＧＦＰヘッダとＧＦＰペイロードの間に挿入する
ことを特徴とするパケット伝送方法。
【請求項２１】
請求項１５または１９に記載のパケット伝送方法において、
前記識別子付与手順は、順序識別子および経路識別子をＧＦＰフレームのＥｘｔｅｎｓｉｏｎ  ｈｅａｄｅｒ手順分に記述する
ことを特徴とするパケット伝送方法。
【発明の詳細な説明】
【技術分野】
【０００１】
本発明は、高速デジタル通信方式の国際規格であるＳＯＮＥＴ／ＳＤＨやＯＴＮ（Ｏｐｔｉｃａｌ  Ｔｒａｎｓｐｏｒｔ  Ｎｅｔｗｏｒｋ）を用いてパケットを伝送する技術に関し、特にパケット損失の無い高信頼な故障復旧を実現することができるパケット伝送システムおよびパケット伝送装置並びにパケット伝送方法に関する。
【背景技術】
【０００２】
近年、パケット伝送の普及に伴い、パケットをＳＯＮＥＴ／ＳＤＨやＯＴＮを介して伝送する技術が利用されるようになってきた。一方、パケット伝送における従来の高信頼化技術として、例えば順序識別子を付加したパケットを複製した複数のパケットを複数経路で送信し、受信側で複数経路から到着するパケットの中から早着のパケットを下流に転送することにより、パケットを無中断で伝送するパケット伝送装置が考えられている（例えば、特許文献１参照）。
【０００３】
ここで、パケットを無中断で伝送する従来のパケット伝送装置９００のブロック図を図９に示す。図９において、パケット伝送装置９００は、送信機能部９０１と受信機能部９０２とで構成される。送信機能部９０１は、ユーザＮＷから受信するデータを広域ＮＷへ送信するためのブロックで、受信部９１１と、コピー部９１２と、識別子付与部９１３ａおよび９１３ｂと、送信部９１４ａおよび９１４ｂとで構成される。尚、以降の説明において、特定のブロックを指す場合を除いて、例えば識別子付与部９１３ａおよび識別子付与部９１３ｂは識別子付与部９１３のように系統名（ａ，ｂ）を省略して表記する。送信機能部９０１において、受信部９１１でユーザＮＷから受信したパケットはコピー部９１２で同一の情報を持つ複数のパケットに複製され、識別子付与部９１３で各パケットに順序識別子が付加された後、送信部９１４から広域ＮＷ側の異なる経路で送信される。
【０００４】
一方、受信機能部９０２は、広域ＮＷから受信した信号をユーザＮＷへ送信するためのブロックで、受信部９２１と、メモリ９２２と、選択部９２３と、カウンタ部９２４と、送信部９２５とで構成される。受信機能部９０２において、受信部９２１で広域ＮＷの複数経路から受信した複数パケットはそれぞれメモリ９２２に蓄積され、選択部９２３は、メモリ９２２から読み出したパケットの順序識別子とカウンタ部９２４のカウント値とを参照して、複数経路から受信した同一情報を持つパケットの中の先着パケットを選択して送信部９２５からユーザＮＷに転送される。
【０００５】
図１０は受信側処理と送信側処理の流れを示すフローチャートである。送信側処理では、ユーザＮＷからパケットを受信すると（ステップＳ９１）、受信したパケットを経路の数だけ複製し（ステップＳ９２）、複製したパケットに順序などを示す識別子をそれぞれ付与し（ステップＳ９３）、複数のパケットをそれぞれ異なる経路に分けて広域ＮＷに送信する（ステップＳ９４）。
【０００６】
一方、受信側処理では、広域ＮＷを介して複数の異なる経路で送られてくるパケットを受信すると（ステップＳ９５）、受信したパケットの識別子を確認して複数経路の中で一番早く受信した正常のパケット（早着パケット）を選択し（ステップＳ９６）、選択したパケットから識別子を消去してユーザＮＷに転送する（ステップＳ９７）。
【０００７】
このように従来のパケット伝送システムでは、複製した複数のパケットを複数の経路で伝送するので一部の経路に障害が発生した場合でもパケット損失が生じないようになっている。
【先行技術文献】
【特許文献】
【０００８】
【特許文献１】特許第４０７４２６８号公報
【発明の概要】
【発明が解決しようとする課題】
【０００９】
ところが、従来技術はパケット転送を対象とした技術なので、ＳＯＮＥＴ／ＳＤＨまたはＯＴＮ上でパケットを伝送する装置に適用した場合、パケット伝送装置の回路規模が大きくなるという課題がある。
【００１０】
例えば、ＳＯＮＥＴ／ＳＤＨでパケットを伝送する場合、ユーザＮＷから受信したパケットをＧＦＰ（Ｇｅｎｅｒｉｃ  Ｆｒａｍｉｎｇ  Ｐｒｏｃｅｄｕｒｅ）にマッピングしてＳＯＮＥＴ／ＳＤＨに収容する方法が一般的で、パケット伝送装置は図１１に示すようなブロック構成になる。尚、図１１において図９と同符号のものは同じ機能を有するブロックを示す。図１１の送信機能部９５１では、図９の送信機能部９０１に加えて、ＳＯＮＥＴ／ＳＤＨに必要なＧＦＰマッピング部９１５，ＶＣ（Ｖｉｒｔｕａｌ  Ｃｏｎｔａｉｎｅｒ）マッピング部９１６および多重部９１７が配置されている。また、図１１の受信機能部９５２では、図９の受信機能部９０２に加えて、ＳＯＮＥＴ／ＳＤＨに必要な分離部９２６，ＶＣデマッピング部９２７およびＧＦＰデマッピング部９２８が配置されている。
【００１１】
図１１に示した従来方式のパケット伝送装置９５０では、受信部９１１でユーザＮＷから受信したパケットをコピー部９１２で複製し、識別子付与部９１３で識別子が付与された複数パケットをＧＦＰマッピング部９１５およびＶＣマッピング部９１６でＧＦＰフレームおよびＶＣフレームにマッピングして多重部９１７で多重後、送信部９１４から広域ＮＷの異なる伝送路に送信される。一方、受信機能部９５２では、広域ＮＷの複数経路から到着した複数フレームを受信部９２１で受信して分離部９２６で分離され、ＶＣデマッピング部９２７およびＧＦＰデマッピング部９２８でユーザパケットにデマッピング後、メモリ９２２に蓄積される。そして、選択部９２３で到着順序を判定し、早着のパケットを選択して送信部９２５からユーザＮＷに転送される。
【００１２】
このように従来方式のパケット伝送装置９５０では、ＧＦＰフレームに変換する前にパケットを複製するので、それぞれのパケットをＳＯＮＥＴ／ＳＤＨ信号に乗せるためのＧＦＰマッピング部９１５やＶＣマッピング部９１６などの機能ブロックが経路数分だけ必要になる。特に、装置構成が複雑化すると回路規模が大きくなり、部品コストや製造コストおよび故障率が増加するという問題がある。
【００１３】
上記課題に鑑み、本発明の目的は、ＳＯＮＥＴ／ＳＤＨやＯＴＮを利用してパケット伝送する装置の機能ブロック数を削減すると共に回線収容効率の低下を抑制することにより、装置構成を複雑化させることなく、パケット損失の無い高信頼の故障復旧を実現することができるパケット伝送システムおよびパケット伝送装置並びにパケット伝送方法を提供することである。
【課題を解決するための手段】
【００１４】
本発明に係る請求項１のパケット伝送システムは、ユーザネットワークと、広域ネットワークと、これらのネットワークを相互に接続するパケット伝送装置とで構成されるＳＯＮＥＴ／ＳＤＨを用いるパケット伝送システムにおいて、ユーザネットワークから受信したパケットを広域ネットワークに送信する前記パケット伝送装置の送信側に、ユーザネットワークからユーザパケットを受信するユーザＮＷ受信部と、前記ユーザＮＷ受信部で受信したユーザパケットをＧＦＰフレームにマッピングするＧＦＰマッピング部と、前記ＧＦＰマッピング部が出力するＧＦＰフレームと同一情報を持つ複数のＧＦＰフレームに複製するコピー部と、前記コピー部が複製した複数のＧＦＰフレームにそれぞれ異なる識別子を付与する識別子付与部と、前記識別子付与部が識別子を付与した複数のＧＦＰフレームをＶＣフレームにそれぞれマッピングするＶＣマッピング部と、前記ＶＣマッピング部が出力する複数のＶＣフレームを多重化する多重部と、前記パケット多重部が出力する複数のＶＣフレームをそれぞれ異なる伝送路を介して広域ネットワークに送信する複数の広域ＮＷ送信部とを設け、広域ネットワークから受信したパケットをユーザネットワークに送信する前記パケット伝送装置の受信側に、広域ネットワークから異なる複数の伝送路を介してそれぞれＶＣフレームを受信する複数の広域ＮＷ受信部と、前記広域ＮＷ受信部で受信した複数のＶＣフレームを分離する分離部と、前記パケット分離部が分離した複数のＶＣフレームをＧＦＰフレームにデマッピングするＶＣデマッピング部と、前記ＶＣデマッピング部がデマッピングしたＧＦＰフレームを一時的に保持する記憶部と、前記記憶部が保持する複数のＧＦＰフレームの中から各ＧＦＰフレームに付与されている識別子に応じて１つのＧＦＰフレームを選択する選択部と、前記選択部が選択するＧＦＰフレーム数を数えるカウンタ部と、前記選択部が選択したＧＦＰフレームをユーザパケットにデマッピングするＧＦＰデマッピング部と、前記ＧＦＰデマッピング部が出力するユーザパケットをユーザネットワークに送信するユーザＮＷ送信部とを設けたことを特徴とする。
【００１５】
本発明に係る請求項２のパケット伝送システムは、ユーザネットワークと、広域ネットワークと、これらのネットワークを相互に接続するパケット伝送装置とで構成されるＳＯＮＥＴ／ＳＤＨ／ＳＤＨを用いるパケット伝送システムにおいて、ユーザネットワークから受信したパケットを広域ネットワークに送信する前記パケット伝送装置の送信側に、ユーザネットワークからユーザパケットを受信するユーザＮＷ受信部と、前記ユーザＮＷ受信部で受信したユーザパケットをＧＦＰフレームにマッピングするＧＦＰマッピング部と、前記ＧＦＰマッピング部が出力するＧＦＰフレームをＶＣフレームにマッピングするＶＣマッピング部と、前記ＶＣマッピング部が出力するＶＣフレームと同一情報を持つ複数のＶＣフレームに複製するコピー部と、前記コピー部が複製した複数のＶＣフレームにそれぞれ異なる識別子を付与する識別子付与部と、前記識別子付与部が識別子を付与した複数のＶＣフレームを多重化する多重部と、前記パケット多重部が出力する複数のＶＣフレームをそれぞれ異なる伝送路を介して広域ネットワークに送信する複数の広域ＮＷ送信部とを設け、広域ネットワークから受信したパケットをユーザネットワークに送信する前記パケット伝送装置の受信側に、広域ネットワークから異なる複数の伝送路を介してそれぞれＶＣフレームを受信する複数の広域ＮＷ受信部と、前記広域ＮＷ受信部で受信した複数のＶＣフレームを分離する分離部と、前記分離部が分離した複数のＶＣフレームを一時的に保持する記憶部と、前記記憶部が保持する複数のＶＣフレームの中から各ＶＣフレームに付与されている識別子に応じて１つのＶＣフレームを選択する選択部と、前記選択部が選択するＶＣフレーム数を数えるカウンタ部と、前記選択部が選択したＶＣフレームをＧＦＰフレームにデマッピングするＶＣデマッピング部と、前記ＶＣデマッピング部がデマッピングしたＧＦＰフレームをユーザパケットにデマッピングするＧＦＰデマッピング部と、前記ＧＦＰデマッピング部が出力するユーザパケットをユーザネットワークに送信するユーザＮＷ送信部とを設けたことを特徴とする。
【００１６】
本発明に係る請求項３のパケット伝送システムは、請求項２に記載のパケット伝送システムにおいて、前記識別子付与部は、順序識別子および経路識別子をＶＣフレームのＨ４バイトマルチフレームに挿入することを特徴とする。
【００１７】
本発明に係る請求項４のパケット伝送システムは、ユーザネットワークと、広域ネットワークと、これらのネットワークを相互に接続するパケット伝送装置とで構成されるＯＴＮを用いるパケット伝送システムにおいて、ユーザネットワークから受信したパケットを広域ネットワークに送信する前記パケット伝送装置の送信側に、ユーザネットワークからユーザパケットを受信するユーザＮＷ受信部と、前記ユーザＮＷ受信部で受信したユーザパケットをＯＴＮフレームにマッピングするＯＴＮマッピング部と、前記ＯＴＮマッピング部が出力するフレームと同一情報を持つ複数のフレームに複製するコピー部と、前記コピー部が複製した複数のフレームにそれぞれ異なる識別子を付与する識別子付与部と、前記識別子付与部が識別子を付与した複数のパケットをそれぞれ異なる伝送路を介して広域ネットワークに送信する複数の広域ＮＷ送信部とを設け、広域ネットワークから受信したパケットをユーザネットワークに送信する前記パケット伝送装置の受信側に、広域ネットワークから異なる複数の伝送路を介してそれぞれＯＴＮフレームを受信する複数の広域ＮＷ受信部と、前記広域ＮＷ受信部で受信した複数のＯＴＮフレームを一時的に保持する記憶部と、前記記憶部が保持する複数のＯＴＮフレームの中から各ＯＴＮフレームに付与されている識別子に応じて１つのＯＴＮフレームを選択する選択部と、前記選択部が選択するＯＴＮフレーム数を数えるカウンタ部と、前記選択部が選択したＯＴＮフレームをユーザパケットにデマッピングするＯＴＮデマッピング部と、前記ＯＴＮデマッピング部が出力するユーザパケットをユーザネットワークに送信するユーザＮＷ送信部とを設けたことを特徴とする。
【００１８】
本発明に係る請求項５のパケット伝送システムは、ユーザネットワークと、広域ネットワークと、これらのネットワークを相互に接続するパケット伝送装置とで構成されるＯＴＮを用いるパケット伝送システムにおいて、ユーザネットワークから受信したパケットを広域ネットワークに送信する前記パケット伝送装置の送信側に、ユーザネットワークからユーザパケットを受信するユーザＮＷ受信部と、前記ユーザＮＷ受信部で受信したユーザパケットをＧＦＰフレームにマッピングするＧＦＰマッピング部と、前記ＧＦＰマッピング部が出力するＧＦＰフレームと同一情報を持つ複数のＧＦＰフレームに複製するコピー部と、前記コピー部が複製した複数のＧＦＰフレームにそれぞれ異なる識別子を付与する識別子付与部と、前記識別子付与部が出力する複数のフレームをそれぞれＯＴＮフレームにマッピングするＯＴＮマッピング部と、前記ＯＴＮマッピング部がマッピングした複数のＯＴＮフレームをそれぞれ異なる伝送路を介して広域ネットワークに送信する複数の広域ＮＷ送信部とを設け、広域ネットワークから受信したフレームをユーザネットワークに送信する前記パケット伝送装置の受信側に、広域ネットワークから異なる複数の伝送路を介してそれぞれＯＴＮフレームを受信する複数の広域ＮＷ受信部と、前記広域ＮＷ受信部で受信した複数のＯＴＮフレームをＧＦＰフレームにデマッピングするＯＴＮデマッピング部と、前記ＯＴＮデマッピング部が出力するＧＦＰフレームを一時的に保持する記憶部と、前記記憶部が保持する複数のＧＦＰフレームの中から各ＧＦＰフレームに付与されている識別子に応じて１つのＧＦＰフレームを選択する選択部と、前記選択部が選択するＧＦＰフレーム数を数えるカウンタ部と、前記選択部が選択したＧＦＰフレームをユーザパケットにデマッピングするＧＦＰデマッピング部と、前記ＧＦＰデマッピング部が出力するユーザパケットをユーザネットワークに送信するユーザＮＷ送信部とを設けたことを特徴とする。
【００１９】
本発明に係る請求項６のパケット伝送システムは、請求項１または５に記載のパケット伝送システムにおいて、前記識別子付与部は、順序識別子および経路識別子をＧＦＰフレームのＧＦＰヘッダとＧＦＰペイロードの間に挿入することを特徴とする。
【００２０】
本発明に係る請求項７のパケット伝送システムは、請求項１または５に記載のパケット伝送システムにおいて、前記識別子付与部は、順序識別子および経路識別子をＧＦＰフレームのＥｘｔｅｎｓｉｏｎ  ｈｅａｄｅｒ部分に記述することを特徴とする。
【００２１】
また、本発明に係る請求項８から請求項１４に記載のパケット伝送装置は、上記の請求項１から請求項７に記載のそれぞれのパケット伝送システムで用いられるパケット伝送装置を構成することを特徴とする。
【００２２】
さらに、本発明に係る請求項１５から請求項２１に記載のパケット伝送方法は、上記の請求項１から請求項７に記載のそれぞれのパケット伝送システムで用いられるパケット伝送装置の各部の処理手順を実行することを特徴とする。
【発明の効果】
【００２３】
本発明によれば、ＳＯＮＥＴ／ＳＤＨまたはＯＴＮネットワーク上でパケットを伝送する装置において、パケットのコピーを作成し、それぞれ異なる経路に送ると共に、受信側では、複数のパケットのうちいずれか一方を選択することで、パケット損失の無いネットワークを提供できる。また、パケットのコピーをＧＦＰ、ＶＣやＯＴＮへカプセル化した後に行なうことで、装置の機能ブロック数を削減すると共に回線収容効率の低下を抑制する機能を提供できる。
【図面の簡単な説明】
【００２４】
【図１】パケット伝送システム１の概要図である。
【図２】第１の実施形態に係るパケット伝送装置１００のブロック図である。
【図３】順序識別子および経路識別子の一例を示す説明図である。
【図４】第１の実施形態に係るパケット伝送装置２００の選択処理手順の一例を示すフローチャートである。
【図５】第１の実施形態の変形例のパケット伝送装置４００のブロック図である。
【図６】第２の実施形態に係るパケット伝送装置２００のブロック図である。
【図７】第２の実施形態に係るパケット伝送装置２００の選択処理手順の一例を示すフローチャートである。
【図８】第３の実施形態に係るパケット伝送装置３００のブロック図である。
【図９】従来のパケット伝送装置９００のブロック図である。
【図１０】パケット伝送装置９００の送信側処理と受信側処理のフローチャートである。
【図１１】ＳＯＮＥＴ／ＳＤＨに対応する従来のパケット伝送装置９５０のブロック図である。
【発明を実施するための形態】
【００２５】
以下、図面を参照して本発明に係るネットワーク伝送装置および制御メッセージ転送方法の実施形態について説明する。
（第１の実施形態）
［パケット伝送システムの概要］
図１は、第１の実施形態に係るパケット伝送システムの一例を示す全体図である。図１の例では、両端に描かれたユーザネットワーク２および３（ユーザＮＷ２および３）の間で送受信されるパケットを中央に描かれた広域ネットワーク４（広域ＮＷ４）を介して接続するシステム構成になっており、ユーザネットワーク２および３と広域ネットワーク４の境界には２つのネットワーク間の中継を行う伝送装置（本実施形態に係るパケット伝送装置５および６に対応）がそれぞれ設置されている。
【００２６】
図１において、例えばパケット伝送装置５はユーザＮＷ２から送信されるパケットを複製して経路Ａ、Ｂ，ＣおよびＤの複数の経路に分けて広域ＮＷ４側に転送し、逆に広域ＮＷ４の複数経路から受信する複数のパケットの１つを選択してユーザＮＷ２側に転送する。
【００２７】
ここで、パケット伝送装置５および６は、従来技術の図９または図１１で説明したように、ユーザＮＷ２から受信したパケットを広域ＮＷ４に送信する送信側処理を行う送信機能部と、広域ＮＷ４から受信したパケットをユーザＮＷ２に送信する受信側処理を行う受信機能部とで構成される。
【００２８】
［パケット伝送装置５および６の構成］
次に、パケット伝送装置５および６の構成例について図２を用いて詳しく説明する。図２は、ＳＯＮＥＴ／ＳＤＨに対応するパケット伝送装置５および６の一例を示すパケット伝送装置１００のブロック図である。図２において、パケット伝送装置１００は送信機能部１０１と受信機能部１０２とで構成される。
【００２９】
送信機能部１０１は、ユーザＮＷから受信したデータを広域ＮＷへ送信するためのブロックで、受信部１１１と、ＧＦＰマッピング部１１２と、コピー部１１３と、識別子付与部１１４ａおよび１１４ｂと、ＶＣマッピング部１１５と、多重部１１６と、送信部１１７ａおよび１１７ｂとで構成される。尚、図２では分かり易いように２つの経路を有する場合の構成例を描いてあるので、コピー部１１３以降のブロックはそれぞれ２系統（広域ＮＷ４の経路Ａに対応するａ系統と、広域ＮＷ４の経路Ｂに対応するｂ系統）の処理を行うための同じブロック配列を有するが、２系統より多い数の経路に分けて送信する場合は経路数だけコピー部１１３以降のブロックを設ければよい。また、以降の説明において、特定のブロックを指す場合を除いて、例えば識別子付与部１１４ａおよび識別子付与部１１４ｂは識別子付与部１１４のように系統名（ａ，ｂ）を省略して表記するものとし、例えば送信部１１７ａおよび送信部１１７ｂは送信部１１７と表記する。また、以降の図面に出現する同様のブロックについても特に明記しない限り、同様に系統名（ａ，ｂ）を省略して表記するものとする。以下、各ブロックについて順番に説明する。
【００３０】
受信部１１１は、ユーザＮＷからのパケットを受信する。尚、本実施形態で特に明記せずに「パケット」と称しているものは、ユーザ情報に宛先などのヘッダ情報を付加した一塊の伝送情報単位を示すものとし、パケットの種類は何でもよく、例えばイーサネット（登録商標）のＩＰパケットであっても構わないし、ＭＡＣフレームなどのフレームであっても構わない。或いは、ＭＰＬＳ（Ｍｕｌｔｉ−Ｐｒｏｔｏｃｏｌ  Ｌａｂｅｌ  Ｓｗｉｔｃｈｉｎｇ）に対応したパケットであっても構わない。
【００３１】
ＧＦＰマッピン部１１２は、受信部１１１で受信したユーザパケットをＧＦＰフレームにマッピングする。
【００３２】
コピー部１１３は、ＧＦＰマッピン部１１２でマッピングされたＧＦＰフレームと同一の情報を持つ複数のＧＦＰフレームを複製する。
【００３３】
識別子付与部１１４は、コピー部１１３で複製されたＧＦＰフレームにそれぞれ順序識別子および経路識別子を書き込む。ここで、順序識別子は送信順序を示す識別子で、０，１，２，３・・・の整数値が送信する度に順番に１ずつ増加され、その数値が書き込まれる（尚、１，２，３・・・の自然数でも構わない）。また、経路識別子は送信する伝送経路を示す識別子で伝送経路の１系，２系・・・などに対応する１〜ｎの値が書き込まれる。
【００３４】
ここで、順序識別子および経路識別子をフレームに付加する例について図３を用いて説明する。図３（ａ）は、ＧＦＰフレームを構成するＧＦＰヘッダとＧＦＰペイロードの間に順序識別子と経路識別子を挿入する例を示している。また、図３（ｂ）はＬＥＦ（Ｌｉｎｅａｒ  Ｅｘｔｅｎｓｉｏｎ  Ｆｒａｍｅ）の例で、ＧＦＰフレームのＥｘｔｅｎｓｉｏｎ  ｈｅａｄｅｒ部分に順序識別子および経路識別子を記述する例を示している。ＧＦＰフレームのＥｘｔｅｎｓｉｏｎ  ｈｅａｄｅｒは、ＣＩＤ（Ｃｈａｎｎｅｌ  ＩＤｅｎｔｉｆｉｃａｔｉｏｎ）とＳｐａｒｅフィールドとＥｘｔｅｎｓｉｏｎ  ｈｅａｄｅｒ  ＨＥＣ（Ｈｅａｄｅｒ  Ｅｒｒｏｒ  Ｃｏｎｔｒｏｌ）とで構成され、このＳｐａｒｅフィールド部分に順序識別子および経路識別子を記述する。
【００３５】
ＶＣマッピング部１１５は、識別子付与部１１４で識別子を付与された各ＧＦＰフレームをＳＯＮＥＴ／ＳＤＨで伝送するためのＶＣフレームにマッピングする。
【００３６】
多重部１１６は、ＶＣマッピング部１１５でマッピングされたＶＣフレームを多重する。
【００３７】
送信部１１７は、多重部１１６で多重化されたＶＣフレームを異なる複数の経路毎に広域ＮＷに送信する。
【００３８】
次に、受信機能部１０２について説明する。図２において、受信機能部１０２は、広域ＮＷから受信した信号をユーザＮＷへ送信するためのブロックで、受信部１２１（受信部１２１ａおよび１２１ｂ）と、分離部１２２と、ＶＣデマッピング部１２３（ＶＣデマッピング部１２３ａおよび１２３ｂ）と、メモリ１２４（メモリ１２４ａおよび１２４ｂ）と、選択部１２５（選択部１２５ａおよび１２５ｂ）と、カウンタ部１２６と、ＧＦＰデマッピング部１２７と、送信部１２８とで構成される。
【００３９】
受信部１２１は、それぞれ対応する広域ＮＷの経路Ａおよび経路Ｂから送られてくるＳＯＮＥＴ／ＳＤＨに対応する多重化されたＶＣフレームを受信する。
【００４０】
分離部１２２は、多重化されたＶＣフレームを分離する。
【００４１】
ＶＣデマッピング部１２３は、分離部１２２が出力するＶＣフレームをＧＦＰフレームにデマッピングし、デマッピングされたＧＦＰフレームを受信した経路毎に設けられたメモリ１２４に蓄積する。
【００４２】
メモリ１２４は、先に書き込まれたパケットから先に読み出すＦＩＦＯメモリで構成され、ＶＣデマッピング部１２３が順番に書き込むＶＣフレームは、選択部１２５によって先に書き込まれたＶＣフレームから順番に読み出される。
【００４３】
選択部１２５は、メモリ１２４から読み出されたＧＦＰフレームの順序識別子とカウンタ部のカウント値に基づいて、先着フレームを選択する。ここで、カウンタ部のカウント値は、例えば次に受信すべきＧＦＰフレームの順序識別子の番号を示し、当該カウント値の順序識別子を有するＧＦＰフレームを受信すると１つカウントアップする。このようにして、複数の経路から到着する同一情報を持つＧＦＰフレームのうち、先着フレームの場合には当該フレームから識別子を消去してＧＦＰデマッピング部１２７に送られる。また、先着でない方のＧＦＰフレームは廃棄される。
【００４４】
ＧＦＰデマッピング部１２７は、選択部で選択されたＧＦＰフレームをユーザパケットにデマッピングする。
【００４５】
送信部１２８は、ＧＦＰデマッピング部１２７でデマッピングされたユーザパケットをユーザネットワークへ送信する。
【００４６】
［選択処理手順について］  
次に、図２の選択部１２５とカウンタ部１２６による選択処理手順の一例について図４を用いて詳しく説明する。尚、図４は、独立した経路数が２つの場合の処理例を示しており、それぞれａ系およびｂ系と称している。従って、経路数がｎ（ｎは自然数）の場合は、例えば１系〜ｎ系までのｎ個について同様の処理を行なうものとする。以下、図４のフローチャートに従って説明する。
【００４７】
（ステップＳ１１）カウンタ部１２６のカウント値（ＣＳ）を０にリセットする。
【００４８】
（ステップＳ１２）ａ系のメモリ１２４ａの受信フレームの有無を確認する。そして、ａ系のメモリ１２４ａに受信フレームがある場合はＳ１３に進み、受信フレームがない場合はＳ１８に進む。
【００４９】
（ステップＳ１３）メモリ１２４ａの受信フレームを読み出す。
【００５０】
（ステップＳ１４）読み出した受信フレームの順序識別子（Ｃａ）とカウンタ部のカウント値（ＣＳ）とを比較する。そして、ＣＳ＝Ｃａ、ＣＳ＞Ｃａ、ＣＳ＞Ｃａの３つの条件に分けて処理し、ＣＳ＝Ｃａの場合はＳ１５に進み、ＣＳ＞Ｃａの場合はＳ１７に進み、ＣＳ＞Ｃａの場合はＳ１８に進む。
【００５１】
（ステップＳ１５）メモリ１２４ａの受信フレームをＧＦＰデマッピング部１２７を介して送信部１２８に出力すると共に、当該受信フレームをメモリ１２４ａから消去する。
【００５２】
（ステップＳ１６）カウンタのカウント値（ＣＳ）を１つカウントアップし（ＣＳ＝ＣＳ＋１）、Ｓ１８に進む。
【００５３】
（ステップＳ１７）メモリ１２４ａの受信フレームは別系において既に到着しているフレームであると認識できるので、当該受信フレームをメモリ１２４ａから消去し、Ｓ１８に進む。
【００５４】
（ステップＳ１８）ｂ系のメモリ１２４ｂの受信フレームの有無を確認する。そして、ｂ系のメモリ１２４ｂに受信フレームがある場合はＳ１９に進み、受信フレームがない場合はＳ１２に戻って次のフレームの受信を待つ。
【００５５】
（ステップＳ１９）メモリ１２４ｂの受信フレームを読み出す。
【００５６】
（ステップＳ２０）読み出した受信フレームの順序識別子（Ｃｂ）とカウンタ部のカウント値（ＣＳ）とを比較する。そして、ＣＳ＝Ｃｂ、ＣＳ＞Ｃｂ、ＣＳ＞Ｃｂの３つの条件に分けて処理し、ＣＳ＝Ｃｂの場合はＳ２１に進み、ＣＳ＞Ｃｂの場合はＳ２３に進み、ＣＳ＞Ｃｂの場合はＳ２４に進む。
【００５７】
（ステップＳ２１）メモリ１２４ｂの受信フレームをＧＦＰデマッピング部１２７を介して送信部１２８に出力すると共に、当該受信フレームをメモリ１２４ｂから消去する。
【００５８】
（ステップＳ２２）カウンタのカウント値（ＣＳ）を１つカウントアップし（ＣＳ＝ＣＳ＋１）、Ｓ１２に戻って次のフレームの受信を待つ。
【００５９】
（ステップＳ２３）メモリ１２４ｂの受信フレームは別系において既に到着しているフレームであると認識できるので、当該受信フレームをメモリ１２４ｂから消去し、Ｓ１２に戻って次のフレームの受信を待つ。
【００６０】
（ステップＳ２４）ＣＳ＜Ｃａであるか否かを判別する。そして、ＣＳ＜Ｃａの場合はＳ２５に進み、ＣＳ＞Ｃａの場合はＳ１２に戻って次のフレームの受信を待つ。
【００６１】
（ステップＳ２５）カウンタのカウント値（ＣＳ）を１つカウントアップし（ＣＳ＝ＣＳ＋１）、Ｓ１２に戻って次のフレームの受信を待つ。
【００６２】
ここで、本実施形態に係るパケット伝送装置１００は、ａ系の処理を行った後でｂ系の処理を行なうようになっており、ｂ系の処理内容は基本的にａ系の処理内容と同様である。従って、さらに多くの経路を有する場合は、経路数分の処理を順番に行えばよい。或いは、全ての経路の処理を並列に行って、下流に流すフレームの判断を行なうようにしても構わない。
【００６３】
このように、本実施形態に係るパケット伝送システムおよびパケット伝送装置並びにパケット伝送方法では、ユーザＮＷから受信するユーザパケットを先ずＧＦＰマッピング部１１２でＧＦＰフレームにマッピングしてから当該ＧＦＰフレームをコピー部１１３で複製することにより、図１１で説明した従来技術のパケット伝送装置９５０の構成に比べて、装置を構成する機能ブロック数を少なくすることができるという効果が得られる。
【００６４】
尚、本実施形態に係るパケット伝送システムおよびパケット伝送装置並びにパケット伝送方法における転送フレームの選択処理手順は、本実施形態に限定されるものではなく、同様の構成であれば本実施形態と同じ効果が得られる。
【００６５】
例えば、図２ではＳＯＮＥＴ／ＳＤＨに対応する例として、ＧＦＰフレームをＶＣマッピング部１１５でＶＣフレームにマッピングする構成にしたが、ＯＴＮに対応する例として、図５に示したパケット伝送装置４００のような構成にしても構わない。尚、図５において、図２と同符号のブロックは同様の処理を行うブロックである。図２と異なるのは、送信機能部４０１において、ＶＣマッピング部１１６と多重部１１７の代わりにＯＴＮマッピング部を配置し、受信機能部４０２において、分離部１２２とＶＣデマッピング部１２３の代わりにＯＴＮデマッピング部１２９を配置している。そして、パケット伝送装置４００では、コピー部１１３で複製したＧＦＰフレームをＯＴＮマッピング部１１８でＯＴＮフレームにマッピングして送信部１１７から広域ＮＷの各経路に送信し、広域ＮＷの各経路から受信するＯＴＮフレームはＯＴＮデマッピング部１２９でＧＦＰフレームにデマッピングする。ここで、ＧＦＰフレームのＯＴＮフレームへのマッピングはＩＴＵ−ＴのＧ．７０９規格に準拠した方法で行なわれるものとする。
【００６６】
このように、本実施形態に係るパケット伝送システムおよびパケット伝送装置並びにパケット伝送方法では、ＳＯＮＥＴ／ＳＤＨやＯＴＮに対応する場合に、ユーザＮＷから受信するユーザパケットを先ずＧＦＰマッピング部１１２でＧＦＰフレームにマッピングしてから当該ＧＦＰフレームをコピー部１１３で複製することにより、図１１で説明した従来技術のパケット伝送装置９５０の構成に比べて、装置を構成する機能ブロック数を少なくすることができるという効果が得られる。
【００６７】
（第２の実施形態）
次に、本発明に係るパケット伝送システムおよびパケット伝送装置並びにパケット伝送方法の第２の実施形態について説明する。第１の実施形態では、ＧＦＰフレームへのマッピングをコピー部１１３の処理前に行うようにしたが、第２の実施形態ではＶＣフレームへのマッピングもコピー部１１３の処理前に行うようになっている。
【００６８】
図６は、第２の実施形態に係るパケット伝送装置２００の構成例を示すブロック図である。図６において、パケット伝送装置２００は、第１の実施形態に係るパケット伝送装置１００と同様に、送信機能部２０１と、受信機能部２０２とで構成される。
【００６９】
送信機能部２０１は、ユーザＮＷから受信したデータを広域ＮＷへ送信するためのブロックで、受信部１１１と、ＧＦＰマッピング部１１２と、ＶＣマッピング部１１５と、コピー部１１３と、識別子付与部１１４ａおよび１１４ｂと、多重部１１６と、送信部１１７ａおよび１１７ｂとで構成される。尚、図２と同符号のものは同じ機能ブロックを示す。図６のパケット伝送装置２００は、図２のパケット伝送装置１００と同じ機能ブロックのみで構成されるが、機能ブロックの配置が異なる。例えば、パケット伝送装置１００の送信機能部１０１ではＶＣマッピング部１１５ａおよび１１５ｂが識別子付与部１１４の後に各経路毎に配置されていたが、本実施形態のパケット伝送装置２００の送信機能部２０１ではＶＣマッピング部１１５はコピー部１１３の前に１つのブロックだけ配置されている。同様に、パケット伝送装置１００の受信機能部１０２ではＶＣデマッピング部１２３は分離部１２２の直後に各経路毎に配置されていたが、本実施形態のパケット伝送装置２００の受信機能部２０２ではＶＣデマッピング部１２３は選択部１２５の後に１つのブロックだけ配置されている。
【００７０】
尚、図２と同様に、図６では分かり易いように２つの経路を有する場合の構成例を描いてあるが、ａ系統とｂ系統の２系統より多い数の経路に分けて送信する場合は、送信機能部２０１のコピー部１１３以降のブロックおよび受信機能部２０２の選択部１２５以前のブロックをそれぞれ経路数分設ければよい。
【００７１】
送信機能部２０１において、受信部１１１で受信したユーザＮＷからのパケットはＧＦＰマッピン部１１２でＧＦＰフレームにマッピングされる。さらに、ＶＣマッピング部１１５は、ＧＦＰマッピン部１１２でマッピングされたＧＦＰフレームをＶＣフレームにマッピングする。そして、コピー部１１３は、マッピングされたＶＣフレームと同一情報を持つ複数のＶＣフレームに複製する。
【００７２】
識別子付与部１１４は、図２のパケット伝送装置１００の場合はＧＦＰフレームに順序識別子および経路識別子を付加したが、図６のパケット伝送装置２００ではコピー部１１３でコピーされたＶＣフレームにそれぞれ順序識別子および経路識別子を付加する。従って、順序識別子および経路識別子の考え方は第１の実施形態と同様であるが、本実施形態では順序識別子および経路識別子は、ＩＴＵ−ＴのＧ．７０７規格に準拠したＨ４バイトマルチフレームに挿入される。
【００７３】
その後、多重部１１６は識別子付与部１１４で識別子を付与されたＶＣフレームを多重化し、多重化されたＶＣフレームは送信部１１７から広域ＮＷの異なる複数の経路毎に送信される。
【００７４】
次に、受信機能部２０２において、受信部１２１は、それぞれ対応する広域ＮＷの経路Ａおよび経路Ｂから送られてくるＳＯＮＥＴ／ＳＤＨに対応する多重化されたＶＣフレームを受信し、分離部１２２で多重化されたＶＣフレームを分離し、分離されたＶＣフレームを受信した経路毎に設けられたメモリ１２４に蓄積する。ここで、図２のパケット伝送装置１００の場合はＶＣデマッピング部１２３でＶＣフレームをデマッピングしたＧＦＰフレームをメモリ１２４に蓄積するようにしたが、図６のパケット伝送装置２００ではＶＣフレームのままメモリ１２４に蓄積する。そして、選択部１２５で早着のＶＣフレームを選択した後、ＶＣデマッピング部１２３に出力する。ＶＣデマッピング部１２３は、選択部１２５が選択したＶＣフレームをＧＦＰフレームにデマッピングし、デマッピングされたＧＦＰフレームはＧＦＰデマッピング部１２７でユーザパケットにデマッピングされ、送信部１２８からユーザネットワークへ送信される。
【００７５】
［選択処理手順について］  
次に、図６の選択部１２５とカウンタ部１２６による選択処理手順の一例について図７を用いて説明する。尚、図７のフローチャートは、図４の第１の実施形態のパケット伝送装置１００の選択処理手順に対応するフローチャートであり、基本的な処理は同じである。異なるのは、図４のフレームがＶＣフレームに対応することで、図７の以下のステップの処理が図４の場合と異なる。
【００７６】
（ステップＳ１２ａ）ａ系のメモリ１２４ａのＶＣフレームの有無を確認する。そして、ａ系のメモリ１２４ａにＶＣフレームがある場合はＳ１３ａに進み、ＶＣフレームがない場合はＳ１８ａに進む。
【００７７】
（ステップＳ１３ａ）メモリ１２４ａのＶＣフレームを読み出す。
【００７８】
（ステップＳ１５ａ）メモリ１２４ａのＶＣフレームは、ＶＣデマッピング部１２３でＧＦＰフレームにデマッピングされ、さらにＧＦＰデマッピング部１２７でユーザパケットにデマッピングされて送信部１２８に出力すると共に、当該ＶＣフレームをメモリ１２４ａから消去する。
【００７９】
（ステップＳ１７ａ）メモリ１２４ａのＶＣフレームは別系において既に到着しているフレームであると認識できるので、当該ＶＣフレームをメモリ１２４ａから消去し、Ｓ１８ａに進む。
【００８０】
（ステップＳ１８ａ）ｂ系のメモリ１２４ｂのＶＣフレームの有無を確認する。そして、ｂ系のメモリ１２４ｂにＶＣフレームがある場合はＳ１９ａに進み、ＶＣフレームがない場合はＳ１２に戻って次のフレームの受信を待つ。
【００８１】
（ステップＳ１９ａ）メモリ１２４ｂのＶＣフレームを読み出す。
【００８２】
（ステップＳ２１ａ）メモリ１２４ｂのＶＣフレームは、ＶＣデマッピング部１２３でＧＦＰフレームにデマッピングされ、さらにＧＦＰデマッピング部１２７でユーザパケットにデマッピングされて送信部１２８に出力すると共に、当該ＶＣフレームをメモリ１２４ｂから消去する。
【００８３】
（ステップＳ２３ａ）メモリ１２４ｂのＶＣフレームは別系において既に到着しているフレームであると認識できるので、当該ＶＣフレームをメモリ１２４ｂから消去し、Ｓ１２ａに戻って次のフレームの受信を待つ。
【００８４】
ここで、本実施形態に係るパケット伝送装置２００は、ａ系の処理を行った後でｂ系の処理を行なうようになっており、ｂ系の処理内容は基本的にａ系の処理内容と同様である。従って、さらに多くの経路を有する場合は、経路数分の処理を順番に行えばよい。或いは、全ての経路の処理を並列に行って、下流に流すフレームの判断を行なうようにしても構わない。
【００８５】
このように、本実施形態に係るパケット伝送システムおよびパケット伝送装置並びにパケット伝送方法では、ユーザＮＷから受信するユーザパケットを先ずＧＦＰマッピング部１１２でＧＦＰフレームにマッピングし，さらにＶＣマッピング部１１５でＶＣフレームにマッピングしてから当該ＶＣフレームをコピー部１１３で複製することにより、図１１で説明した従来技術のパケット伝送装置９５０および第１の実施形態の図２で説明したパケット伝送装置１００の構成に比べて、装置を構成する機能ブロック数を少なくすることができるという効果が得られる。
【００８６】
特に、ＶＣフレームの既存の規定バイトを利用することにより、余計なバイトを新たに追加することなく、ＩＴＵ−ＴのＧ．７０７規格に準拠して順序識別子および経路識別子を挿入できるので、イーサネット(登録商標）フレームなどの収容効率の低下を少なくすることができる。
【００８７】
尚、本実施形態に係るパケット伝送システムおよびパケット伝送装置並びにパケット伝送方法における転送フレームの選択処理手順は、本実施形態に限定されるものではなく、同様の構成であれば本実施形態と同じ効果が得られる。
【００８８】
（第３の実施形態）
次に、本発明に係るパケット伝送システムおよびパケット伝送装置並びにパケット伝送方法の第３の実施形態について説明する。第３の実施形態ではＯＴＮに適用する場合の例を示す。
【００８９】
図８は、第３の実施形態に係るパケット伝送装置３００の構成例を示すブロック図である。図８において、パケット伝送装置３００は、第１の実施形態に係るパケット伝送装置１００，第２の実施形態に係るパケット伝送装置２００などと同様に、送信機能部３０１と、受信機能部３０２とで構成される。尚、図８において、図２および図６と同符号のものは同じ機能のブロックを示す。
【００９０】
送信機能部３０１は、ユーザＮＷから受信したデータを広域ＮＷへ送信するためのブロックで、受信部１１１と、ＯＴＮマッピング部１１８と、コピー部１１３と、識別子付与部１１４ａおよび１１４ｂと、送信部１１７ａおよび１１７ｂとで構成される。
【００９１】
尚、図２と同様に、図８では分かり易いように２つの経路を有する場合の構成例を描いてあるが、ａ系統とｂ系統の２系統より多い数の経路に分けて送信する場合は、送信機能部３０１のコピー部１１３以降のブロックおよび受信機能部３０２の選択部１２５以前のブロックをそれぞれ経路数分設ければよい。
【００９２】
送信機能部３０１において、受信部１１１で受信したユーザＮＷからのパケットはＯＴＮマッピン部１１８でＯＴＮフレームにマッピングされる。そして、コピー部１１３は、マッピングされたＯＴＮフレームと同一情報を持つ複数のＯＴＮフレームに複製する。
【００９３】
識別子付与部１１４は、図２のパケット伝送装置１００の場合はＧＦＰフレームに順序識別子および経路識別子を付加し、図６のパケット伝送装置２００の場合はＶＣフレームに順序識別子および経路識別子を付加するようにしたが、図８のパケット伝送装置３００ではコピー部１１３でコピーされたＯＴＮフレームにそれぞれ順序識別子および経路識別子を付加する。尚、ＯＴＮフレームへの順序識別子および経路識別子の考え方は第１の実施形態と同様である。識別子付与部１１４で識別子を付与されたＯＴＮフレームは送信部１１７から広域ＮＷの異なる複数の経路毎に送信される。
【００９４】
次に、受信機能部３０２において、受信部１２１は、それぞれ対応する広域ＮＷの経路Ａおよび経路Ｂから送られてくるＯＴＮフレームを受信し、経路毎に設けられたメモリ１２４に蓄積する。ここで、図２のパケット伝送装置１００の場合はＧＦＰフレームをメモリ１２４に蓄積し、図６のパケット伝送装置２００の場合はＶＣフレームをメモリ１２４に蓄積すしたが、本実施形態のパケット伝送装置３００ではＯＴＮフレームをメモリ１２４に蓄積する。そして、選択部１２５で早着のＯＴＮフレームを選択した後、ＯＴＮデマッピング部１２９に出力する。ＯＴＮデマッピング部１２９は、選択部１２５が選択したＯＴＮフレームをユーザパケットにデマッピングして、送信部１２８からユーザネットワークへ送信する。
【００９５】
尚、第３の実施形態における選択部１２５とカウンタ部１２６による選択処理手順については、ＧＦＰフレームやＶＣフレームの代わりにＯＴＮフレームが扱われる以外は第１の実施形態および第２の実施形態と同様なので重複する説明は省略する。
【００９６】
このように、本実施形態に係るパケット伝送システムおよびパケット伝送装置並びにパケット伝送方法では、ユーザＮＷから受信するユーザパケットをコピー部１１３で複製する前にＯＴＮマッピング部１１８でＯＴＮフレームにマッピングすることにより、図５で説明したパケット伝送装置４００の構成などに比べて、装置を構成する機能ブロック数を少なくすることができるという効果が得られる。尚、図５のように、ＧＦＰマッピング部１１２やＧＦＰデマッピング部１２７を設ける場合でも、本実施形態のパケット伝送装置３００のように、ＯＴＮマッピング部１１８をコピー部１１３の前に、ＯＴＮデマッピング部１２９を選択部１２５の後に、それぞれ配置することによって同様の効果を得ることができる。
【００９７】
以上、各実施形態において説明してきたように、本発明に係るパケット伝送システムおよびパケット伝送装置並びにパケット伝送方法は、ＳＯＮＥＴ／ＳＤＨまたはＯＴＮネットワーク上でパケットを伝送する装置において、パケットのコピーを作成し、それぞれ異なる経路に送ると共に、受信側では、複数のパケットのうちいずれか一方を選択することで、パケット損失の無いネットワークを提供できる。また、パケットのコピーをＧＦＰ、ＶＣやＯＴＮへカプセル化した後に行なうことで、装置の機能ブロック数を削減すると共に回線収容効率の低下を抑制する機能を提供できる。
【００９８】
尚、本発明に係るパケット伝送システムおよびパケット伝送装置並びにパケット伝送方法について各実施形態で例を挙げて説明してきたが、その精神またはその主要な特徴から逸脱することなく他の多様な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００９９】
１・・・パケット伝送システム
２，３・・・ユーザＮＷ
４・・・広域ＮＷ
５，６，１００，２００，３００，４００，９００，９５０・・・パケット伝送装置
１０１，２０１，３０１，４０１，９０１，９５１・・・送信機能部
１０２，２０２，３０２，４０２，９０２，９５２・・・受信機能部
１１１，９１１・・・受信部
１１２，９１５ａ，９１５ｂ・・・ＧＦＰマッピング部
１１３，９１２・・・コピー部
１１４ａ，１１４ｂ，９１３ａ，９１３ｂ・・・識別子付与部
１１５，１１５ａ，１１５ｂ，９１６ａ，９１６ｂ・・・ＶＣマッピング部
１１６，９１７・・・多重部
１１７ａ，１１７ｂ，９１４ａ，９１４ｂ・・・送信部
１１８，１１８ａ，１１８ｂ・・・ＯＴＮマッピング部
１２１ａ，１２１ｂ，９２１ａ，９２１ｂ・・・受信部
１２２，９２６・・・分離部
１２３，１２３ａ，１２３ｂ，９２７ａ，９２７ｂ・・・ＶＣデマッピング部
１２４，１２４ａ，１２４ｂ，９２２ａ，９２２ｂ・・・メモリ
１２５，１２５ａ，１２５ｂ，９２３ａ，９２３ｂ・・・選択部
１２６，９２４・・・カウンタ部
１２７，９２８ａ，９２８ｂ・・・ＧＦＰデマッピング部
１２８，９２５・・・送信部
１２９，１２９ａ，１２９ｂ・・・ＯＴＮデマッピング部
【図１】
2010278844.tif 000003
【図２】
2010278844.tif 000004
【図３】
2010278844.tif 000005
【図４】
2010278844.tif 000006
【図５】
2010278844.tif 000007
【図６】
2010278844.tif 000008
【図７】
2010278844.tif 000009
【図８】
2010278844.tif 000010
【図９】
2010278844.tif 000011
【図１０】
2010278844.tif 000012
【図１１】
2010278844.tif 000013